(57)【特許請求の範囲】
【請求項１】
通常瓦の棟側に水切り板金を介在させて太陽電池瓦が施工される構造であって、太陽電池瓦の軒側端にて太陽電池瓦からの雨水を軒方向へ導く水切りスタータ部材と、水切りスタータ部材を屋根下地材上にて支持するスタータ固定部材と、水切りスタータ部材からの雨水を軒方向へ導く水切り板金とを備え、水切り板金は、その棟側部分が屋根下地材と水切りスタータ部材およびスタータ固定部材との間隙に挿入されるとともに軒側部分が通常瓦の棟側部分を覆うようにして、通常瓦と太陽電池瓦との間に取り付けられることを特徴とする太陽電池瓦施工構造。
【請求項２】
スタータ固定部材が通常瓦の棟側端位置から一定距離を隔てて屋根下地材上に固定されることをさらに特徴とする請求項１記載の太陽電池瓦施工構造。
【請求項３】
水切り板金はその棟側端に係止部を有し、スタータ固定部材はその下面部に被係止部を有し、水切り板金の棟側部分の挿入時に係止部が被係止部に係止されることをさらに特徴とする請求項１または２記載の太陽電池瓦施工構造。
【発明の詳細な説明】
【０００１】
【発明の属する技術分野】
この出願の発明は、通常瓦および太陽電池瓦を併用する場合の施工構造に関するものである。
【０００２】
【従来の技術】
従来より、太陽電池瓦（太陽電池モジュールとも呼ばれる）を屋根に施工する場合、屋根全面に太陽電池瓦を敷設するのではなく、一部を太陽電池瓦とし、他の一部を太陽電池瓦以外の平板瓦等の瓦（これを通常瓦と呼ぶこととする）とすることがしばしば行われる。これには、たとえば図９に例示したように、屋根の軒先部に通常瓦（１）を設け、その通常瓦（１）の棟側から太陽電池瓦（２）を葺き上げていく態様や、屋根の谷部に沿って通常瓦（１）および太陽電池瓦（２）を階段状に敷設する態様などがあり、前者では通常瓦（１）の棟側に最下段の太陽電池瓦（２）が位置し、後者では各階段部において通常瓦（１）の棟側に太陽電池瓦（２）が位置することになる。
【０００３】
他方、太陽電池瓦の施工については、太陽電池瓦表面を流れてきた雨水を軒方向へ水切りする水切り板金を、太陽電池瓦の軒側端部に取り付けることがしばしばある。
【０００４】
そして、図９に例示したように通常瓦（１）の棟側に太陽電池瓦（２）が施工される場合では、水切り板金（３）は、通常瓦（１）および太陽電池瓦（２）との間において通常瓦（１）の棟側部分表面をある程度覆うようにして取り付けられ、太陽電池瓦（２）を流れてきた雨水は、水切り板金（３）表面から通常瓦（１）表面を伝って軒方向へ流れるようになる。
【０００５】
【発明が解決しようとする課題】
しかしながら、上記のとおりに通常瓦（１）の棟側に水切り板金（３）を介在させて太陽電池瓦（２）を施工する構造にあっては、先に通常瓦（１）を施工し、その後に水切り板金（３）を取り付け、それから太陽電池瓦（２）を施工しなければならなかった。このため、太陽電池瓦（２）を先に施工しておくことができず、常に通常瓦（１）の先行施工が必要であり、たとえば図９の場合においては、屋根軒先部への通常瓦（１）施工後に最下段の太陽電池瓦（２）を施工し、屋根谷部に沿った各階段部においては通常瓦（１）と太陽電池瓦（２）とを交互に施工するといった、手間のかかる施工となっていた。太陽電池瓦（２）の施工においては、場合によっては、一度に全ての太陽電池瓦（２）を先行施工することも望まれるが、それができなかったのである。
【０００６】
この出願の発明は、以上のとおりの事情に鑑みてなされたものであり、通常瓦の棟側に水切り板金を介在させて太陽電池瓦を施工する場合においても通常瓦の施工前に太陽電池瓦を先行施工することのできる、新しい太陽電池瓦施工構造を提供することを課題としている。
【０００７】
【課題を解決するための手段】
この出願の発明は、上記の課題を解決するものとして、第１には、通常瓦の棟側に水切り板金を介在させて太陽電池瓦が施工される構造であって、太陽電池瓦の軒側端にて太陽電池瓦からの雨水を軒方向へ導く水切りスタータ部材と、水切りスタータ部材を屋根下地材上にて支持するスタータ固定部材と、水切りスタータ部材からの雨水を軒方向へ導く水切り板金とを備え、水切り板金は、その棟側部分が屋根下地材と水切りスタータ部材およびスタータ固定部材との間隙に挿入されるとともに軒側部分が通常瓦の棟側部分を覆うようにして、通常瓦と太陽電池瓦との間に取り付けられることを特徴とする太陽電池瓦施工構造を提供する。
【０００８】
また、この出願の発明は、第２には、上記スタータ固定部材が通常瓦の棟側端位置から一定距離を隔てて屋根下地材上に固定されることをさらに特徴とする太陽電池瓦施工構造、第３には、上記水切り板金はその棟側端に係止部を有し、上記スタータ固定部材はその下面部に被係止部を有し、水切り板金の棟側部分の挿入時に係止部が被係止部に係止されることをさらに特徴とする太陽電池瓦施工構造を提供する。
【０００９】
【発明の実施の形態】
図１は、この出願の発明の一実施形態を説明するための図である。
この図１の実施形態は、屋根の軒先部に通常瓦（１）が施工され、通常瓦（１）の棟側に水切り板金（３）を介在させて太陽電池瓦（２）が施工される場合のものであり、太陽電池瓦（２）の軒側端にて太陽電池瓦（２）からの雨水を軒方向へ導く水切りスタータ部材（４）と、水切りスタータ部材（４）を屋根下地材（１００）上にて支持するスタータ固定部材（５）と、水切りスタータ部材（４）からの雨水を軒方向へ導く水切り板金（３）とが設けられており、水切り板金（３）は、その棟側部分が屋根下地材（１００）と水切りスタータ部材（４）およびスタータ固定部材（５）との間隙に挿入されるとともに軒側部分が通常瓦（１）の棟側部分表面を覆うようにして、通常瓦（１）と太陽電池瓦（２）との間に取り付けられている。
【００１０】
この場合さらに説明すると、図２〜図８にも示したように、まず、スタータ固定部材（５）は、上面部にて上方へ突設した一対のスライド係合部（５１）を有し、スタータ部材（４）は、棟側部分の裏面部にて下方へ突設した一対のスライド被係合部（４１）を有している。そして、スタータ固定部材（５）は、そのスライド係合部（５１）が水切りスタータ部材（４）のスライド被係合部（４１）へスライド挿入により係合されて、水切りスタータ部材（１）の裏側へ取り付けられる（図２，図３参照）。スライド係合部（５１）およびスライド被係合部（４１）はスタータ固定部材（５）および水切りスタータ部材（４）の左右方向の略全長に渡って設けられているので、取付後のスタータ固定部材（５）は水切りスタータ部材（４）の左右長手方向に沿って横スライド自在となる。
【００１１】
続いて、スタータ固定部材（５）は、通常瓦（１）の棟側端位置から一定距離Ａを隔てて、野地板や防水下葺き材等の屋根下地材（１００）上に取り付けられる（図１，図３参照）。スタータ固定部材（５）には棟方向へ延びた固定板片（５２）が設けられており、この固定板片（５２）を介して固定ネジ（１０）により屋根下地材（１００）上にネジ固定される。固定板片（５２）には固定ネジ（１０）が通るネジ貫通口（５２１）が設けられている（図５参照）。
【００１２】
このスタータ固定部材（５）と水切りスタータ部材（４）との固定は、たとえば双方を貫通する固定ネジ（１０）によって行うことができ（図３参照）、水切りスタータ部材（４）はスタータ固定部材（５）によって屋根下地材(１００)上に取付支持されることになる。このとき、水切りスタータ部材（４）は、それが有する軒方向へ延びた水切り板部（４２）の先端部が屋根下地材（１００）表面からある程度の間隔をもって浮いた状態となるように、支持される。
【００１３】
次いで、この水切りスタータ部材（４）に対して太陽電池瓦（２）の軒側端部が取り付けられる（図４参照）。本実施形態では、太陽電池瓦（２）は、周端縁部（つまり左右端部および前後端部）に縦・横フレーム部材が装着されたものとなっており、その前端部つまり軒側端部に装着された軒側横フレーム部材（６）が連結具（７）を介して水切りスタータ部材（４）に分離自在に連結固定される。
【００１４】
より具体的には、連結具（７）は、下平板部（７１）および上平板部（７２）ならびにそれらを繋ぐ立板部（７３）からなる断面略Ｃ字形状のものであり、下平板部（７１）が水切りスタータ部材（４）に設けられている軒方向に開口した連結具用挿入部（４３）に挿入され、上平板部（７２）が太陽電池瓦（２）の軒側横フレーム部材（６）に設けられている軒方向に延びた連結具用固定板部（６１）にネジ固定されて、水切りスタータ部材（４）と軒側横フレーム部材（６）とを分離自在に連結固定している。
【００１５】
以上のようにして、屋根下地材（１００）上に、スタータ固定部材（５）が取り付けられ、スタータ固定部材（５）を介して水切りスタータ部材（４）が取付支持され、スタータ固定部材（５）および水切りスタータ部材（４）を介して太陽電池瓦（２）が取付支持される。
【００１６】
そしてこの後に、通常瓦（１）および水切り板金（３）が取り付けられる。すなわち、太陽電池瓦（２）の施工後に通常瓦（１）および水切り板金（３）を施工することができるのである。
【００１７】
より具体的には、まず所定位置へ所定枚数の通常瓦（１）を敷設し、水切り板金（３）を、その棟側部分を屋根下地材（１００）と水切りスタータ部材（４）およびスタータ固定部材（５）との間隙に挿入させるとともに軒側部分により通常瓦（１）の棟側部分表面を覆うようにして、通常瓦（１）と太陽電池瓦（２）との間に取り付ける（図１参照）。
【００１８】
水切り板金（３）は、棟側から軒方向へ順に連続した挿入板部（３１）、スロープ板部（３２）および覆い板部（３３）を有しており、挿入板部（３１）の棟側端が、屋根下地材（１００）表面と水切りスタータ部材（４）の水切り板部（４２）の先端部との間隙から、水切り板部（４２）の裏側空間を通って、屋根下地材（１００）表面とスタータ固定部材（５）の軒側下面部との間隙に挿入され、それとともに、スロープ板部（３２）は、スタータ部材（４）の水切り板部（４２）の裏側空間から通常瓦（１）の棟側端へとスロープ状に延びて位置し、且つこのスロープ板部（３２）の軒側に連続した覆い板部（３３）は、通常瓦（１）の棟側端から軒方向へ通常瓦（１）表面をある程度覆うようになる（図１参照）。このとき、挿入板部（３１）の棟側端に折返し片等の係止部（３１１）を設け、スタータ固定部材（５）の軒側下面部には折返し片等が引っ掛かる凹み等の被係止部（５３）を設け、挿入板部（３１）の挿入時に係止部（３１１）を被係止部（５３）に係止させて、水切り板金（３）を固定させるようにしてもよい（図８参照）。
【００１９】
以上により、太陽電池瓦（２）の施工後に通常瓦（１）を両瓦間に水切り板金（３）を介在させて施工することができ、つまり太陽電池瓦（２）の先行施工が実現される。たとえば図９のように屋根の一部を太陽電池瓦（２）、他の一部を通常瓦（１）とする場合においても、全ての太陽電池瓦（２）を先に敷設し、その後に太陽電池瓦（２）周囲の所定位置に通常瓦（１）を太陽電池瓦（２）との間に水切り板金（３）を設けて敷設することができるようになる。屋根谷部に沿った各階段部についても太陽電池瓦（２）を先行施工できる。
【００２０】
水切り防水効果については、太陽電池瓦（２）の軒側端から水切りスタータ部材（４）の水切り板部（４２）を伝って水切り板金（３）のスロープ板部（３２）に落ち、スロープ板部（３２）から覆い板部（３３）を伝って通常瓦（１）表面へ流れ、後は通常瓦（１）表面を伝って軒先方向へ流れ落ちるようにして、雨水の水切りが行われ、屋根下地材（１００）等への漏水防止が効果的に実現されることとなる。
【００２１】
なお、水切り板金（３）の取付けにおいて、水切りスタータ部材（４）の水切り板部（４２）の先端部で水切り板金（３）のスロープ板部（３２）を押圧して、覆い板部（３３）を通常瓦（１）表面に押し当てるようにしてもよく、これによって通常瓦（１）と水切り板金（３）との間に雨水がより入り込み難くすることができるとともに、吹き上げ風によって水切り板金（３）がばたついたり剥がれたりしてしまうのを防ぐこともできる。また、雨水の浸入をより効果的に防ぐべく、覆い板部（３３）裏面と通常瓦（１）表面との間にはシーリング材（８）を設けることもできる（図１参照）。
【００２２】
もちろん、この出願の発明は以上の実施形態に限定されるものではなく、細部については様々な態様が可能である。
【００２３】
【発明の効果】
以上詳しく説明したとおり、この出願の発明によって、通常瓦の棟側に水切り板金を介在させて太陽電池瓦を施工する場合においても通常瓦の施工前に太陽電池瓦を先行施工することのできる、新しい太陽電池瓦施工構造が提供され、屋根形状や施工順序に左右され難い太陽電池瓦の施工が可能となる。
【図面の簡単な説明】
【図１】この出願の発明の一実施形態を説明するための図である。
【図２】スタータ固定部材と水切りスタータ部材との取付けを説明するための図である。
【図３】スタータ固定部材と水切りスタータ部材との取付状態を説明するための図である。
【図４】スタータ固定部材と水切りスタータ部材と太陽電池瓦との取付状態を説明するための図である。
【図５】（ａ）（ｂ）は、各々、スタータ固定部材を例示した平面図および側面図である。
【図６】水切りスタータ部材を例示した側面図である。
【図７】水切り板金を例示した側面図である。
【図８】水切り板金とスタータ固定部材との係合状態を説明するための図である。
【図９】通常瓦の棟側に水切り板金を介在させて太陽電池瓦を施工した一例を説明するための図である。
【符号の説明】
１  通常瓦
２  太陽電池瓦
３  水切り板金
３１  挿入板部
３１１  係止部
３２  スロープ板部
３３  覆い板部
４  水切りスタータ部材
４１  スライド被係合部
４２  水切り板部
４３  連結具用挿入部
５  スタータ固定部材
５１  スライド係合部
５２  固定板部
５２１  ネジ貫通口
５３  被係止部
６  軒側横フレーム部材
６１  連結具用固定板部
７  連結具
７１  下平板部
７２  上平板部
７３  立板部
８  シーリング材
１０  固定ネジ
１００  屋根下地材
【図１】
0003705200.tif 000002
【図２】
0003705200.tif 000003
【図３】
0003705200.tif 000004
【図４】
0003705200.tif 000005
【図５】
0003705200.tif 000006
【図６】
0003705200.tif 000007
【図７】
0003705200.tif 000008
【図８】
0003705200.tif 000009
【図９】
0003705200.tif 000010